(57)【要約】【課題】２灯の外部電極型蛍光ランプの給電用端子の端部同士を半田付けしたときの接続強度を向上させる。【解決手段】外部電極型蛍光ランプの給電用端子９ａの端部を、他の外部電極型蛍光ランプの給電用端子と端部同士を合わせたときの接触部分に半田が流れやすい形状とする。具体的には、給電用端子９ａの端部に１〜１０個程度の貫通孔９ａを設ける。あるいは給電用端子の端部を鍵型に形成する。あるいは先端を凹型に形成し、あるいは先端をＪ型に折り曲げる。【選択図】　　　図１
2004134167.tif 000002
【特許請求の範囲】
【請求項１】
管状のガラスバルブと、
前記ガラスバルブの内周面に管軸方向に沿った光投射用の開口部を残して形成されたされた蛍光体層と、
前記ガラスバルブの内部に封入されたキセノンを含む希ガスと、
前記ガラスバルブの全長とほぼ同程度の長さを有し、前記ガラスバルブの外周面に配設された少なくとも一対の電極と、
前記ガラスバルブの全長とほぼ同程度の長さを有し、前記電極が配設されたガラスバルブの外周面に前記開口部を避けて被着された透光性樹脂と、
前記電極に接続され、他の外部電極型蛍光ランプの給電用端子の端部との半田付部分に貫通孔が設けられた平板状の給電用端子と、
を有することを特徴とする外部電極型蛍光ランプ。
【請求項２】
管状のガラスバルブと、
前記ガラスバルブの内周面に管軸方向に沿った光投射用の開口部を残して形成されたされた蛍光体層と、
前記ガラスバルブの内部に封入されたキセノンを含む希ガスと、
前記ガラスバルブの全長とほぼ同程度の長さを有し、前記ガラスバルブの外周面に配設された少なくとも一対の電極と、
前記ガラスバルブの全長とほぼ同程度の長さを有し、前記電極が配設されたガラスバルブの外周面に前記開口部を避けて被着された透光性樹脂と、
前記電極に接続され、他の外部電極型蛍光ランプの給電用端子の端部に重ね合わせたときに半田流入用の空間が生じる端部形状とした平板状の給電用端子と、
を有することを特徴とする外部電極型蛍光ランプ。
【請求項３】
前記給電用端子は、端側部の形状が鍵型に形成されたことを特徴とする請求項２記載の外部電極型蛍光ランプ。
【請求項４】
前記給電用端子は、端部先端がＪ型に折り曲げられたことを特徴とする請求項２記載の外部電極型蛍光ランプ。
【請求項５】
前記給電用端子は、端部先端の形状が凹型に形成されたことを特徴とする請求項２記載の外部電極型蛍光ランプ。
【発明の詳細な説明】
【０００１】
【発明の属する技術分野】
本発明は、複写機やイメージスキャナ等の露光用光源やディスプレイ装置のバックライト用光源として使用される外部電極型蛍光ランプに係り、特に外部電極に接続される給電用端子の形状に関する。
【０００２】
【従来の技術】
外部電極型蛍光ランプに関する技術は、例えば特開平２０００−２１５８５２号公報に開示されている。上記公報に記載の外部電極型蛍光ランプは、管状のガラスバルブの内周面に管軸方向に沿った光投射用の開口部を残して蛍光体層を形成し、キセノンガスを主成分とした希ガスを一定の封入圧で封入して両端を封止し、ガラスバルブの外周面にはガラスバルブとほぼ同程度の長さを有する一対の電極を対向して配設し、その外側に各電極を被膜するための絶縁性の高い透光性樹脂を被着した構成である。
【０００３】
図１５は、外部電極型蛍光ランプを複写機やイメージスキャナ等における照明装置の露光用光源として使用したときの一般的な構成の一例を示す正面断面図である。２灯の同一構成の外部電極型蛍光ランプ７０ａ，７０ｂは、それぞれガラスバルブの外周面に電極７５ａ，７５ｂが対向して配設される。電極７５ａ，７５ｂの端部にはそれぞれ平板状の給電用端子７８ａ，７８ｂ　が接続される。同装置では、外部電極型蛍光ランプ７０ａ，７０ｂは、紙面ガラス８０の下部に平行に配置され、外部電極型蛍光ランプ７０ａ，７０ｂに挟まれた中央下部に電荷結合素子（Ｃｈａｒｇｅ　Ｃｏｕｐｌｅｄ　Ｄｅｖｉｃｅ：ＣＣＤ）８１が配置される。紙面ガラス８０の上部には原稿８２が配置される。
【０００４】
複写機等では原稿８２のインクの盛り上がり等による印刷状態の変化を防ぐために、２灯の外部電極型蛍光ランプ７０ａ，７０ｂを用いて２方向から原稿８２の紙面へ光を照射させ、その反射光をＣＣＤ８１で読み取るようになっている。そして、低電力化を図るため、２灯の外部電極型蛍光ランプ７０ａ，７０ｂに対して１つの電源で並列給電するようになっている。
【０００５】
図１６は、２灯の外部電極型蛍光ランプの給電用端子の端部同士を半田付けした状態を示す正面図である。給電用端子７８ａ，７８ｂには長さ１０〜５０ｍｍのものを使用し、２灯の外部電極型蛍光ランプ７０ａ，７０ｂの距離は５〜５０ｍｍとする。外部電極型蛍光ランプ７０ａ，７０ｂのそれぞれの給電用端子７８ａ同士の端部が半田９０ａで接続され、給電用端子７８ｂ同士の端部が半田９０ｂで接続される。
【０００６】
図１７は、給電用端子７８ａの半田付け部分の拡大図である。半田付けは、外部電極型蛍光ランプ７０ａの給電用端子７８ａの端部と外部電極型蛍光ランプ７０ｂの給電用端子７８ａの端部とを重ね合わせてから、両端部を半田９０ａで接続するようになっている。給電用端子７８ｂの端部同士の半田付けについても同様である。
【０００７】
【発明が解決しようとする課題】
しかしながら、給電用端子の端部を重ね合わせてから半田付けしたのでは、両給電用端子の接触面に半田が入りにくく、半田接触面積が小さいために、十分な接続強度が得られないという問題があった。
【０００８】
本発明は、上記に鑑みてなされたものであり、その目的とするところは、半田付けによる給電用端子間の接続強度を向上させ得る外部電極型蛍光ランプを提供することにある。
【０００９】
【課題を解決するための手段】
上記目的を達成するため、請求項１記載の本発明に係る外部電極型蛍光ランプは、管状のガラスバルブと、前記ガラスバルブの内周面に管軸方向に沿った光投射用の開口部を残して形成されたされた蛍光体層と、前記ガラスバルブの内部に封入されたキセノンを含む希ガスと、前記ガラスバルブの全長とほぼ同程度の長さを有し、前記ガラスバルブの外周面に配設された少なくとも一対の電極と、前記ガラスバルブの全長とほぼ同程度の長さを有し、前記電極が配設されたガラスバルブの外周面に前記開口部を避けて被着された透光性樹脂と、前記電極に接続され、他の外部電極型蛍光ランプの給電用端子の端部との半田付部分に貫通孔が設けられた平板状の給電用端子と、を有することを特徴とする。
【００１０】
本発明にあっては、給電用端子の端部に貫通孔を設けるようにしたことで、他の外部電極型蛍光ランプの給電用端子の端部と半田付けするときの半田付面積を広くとれるようにしている。
【００１１】
請求項２記載の本発明は、管状のガラスバルブと、前記ガラスバルブの内周面に管軸方向に沿った光投射用の開口部を残して形成されたされた蛍光体層と、前記ガラスバルブの内部に封入されたキセノンを含む希ガスと、前記ガラスバルブの全長とほぼ同程度の長さを有し、前記ガラスバルブの外周面に配設された少なくとも一対の電極と、前記ガラスバルブの全長とほぼ同程度の長さを有し、前記電極が配設されたガラスバルブの外周面に前記開口部を避けて被着された透光性樹脂と、前記電極に接続され、他の外部電極型蛍光ランプの給電用端子の端部に重ね合わせたときに半田流入用の空間が生じる端部形状とした平板状の給電用端子と、を有することを特徴とする。
【００１２】
本発明にあっては、平板状の給電用端子の端部の形状を、他の外部電極型蛍光ランプの給電用端子の端部に重ね合わせたときに半田流入用の空間が生じる形状としたことで、半田付面積を広くとれるようにしている。
【００１３】
請求項３記載の本発明は、請求項２記載の外部電極型蛍光ランプにおいて、前記給電用端子は、端側部の形状が鍵型に形成されたことを特徴とする。
【００１４】
請求項４記載の本発明は、請求項２記載の外部電極型蛍光ランプにおいて、前記給電用端子は、端部先端がＪ型に折り曲げられたことを特徴とする。
【００１５】
請求項５記載の本発明は、請求項２記載の外部電極型蛍光ランプにおいて、前記給電用端子は、端部先端の形状が凹型に形成されたことを特徴とする。
【００１６】
請求項３乃至５に記載の本発明にあっては、給電用端子の端側部の形状を鍵型に形成し、給電用端子の先端をＪ型に折り曲げ、あるいは給電用端子の端部先端の形状を凹型に形成することによって、他の外部電極型蛍光ランプの給電用端子の端部との半田付部分に半田流入用の空間が生じるようにしている。
【００１７】
【発明の実施の形態】
以下、本発明の実施の形態について図面を用いて説明する。
【００１８】
［第１の実施の形態］
図１は、一実施の形態における外部電極型蛍光ランプの構成を示す側面図であり、図２は、図１のＡ−Ａ部についての正面断面図である。本外部電極型蛍光ランプは、管状のガラスバルブ１の内周面に、蛍光体層３が管軸方向に沿った光投射用の開口部４を残して形成され、キセノンを主成分とする希ガス２が一定の封入圧で封入される。ガラスバルブ１の外周面には、ガラスバルブ１の全長とほぼ同程度の長さの一対の平板状の電極５ａ，５ｂが対向するように管軸方向に配設され、その外側にはガラスバルブ１の全長とほぼ同程度の長さの絶縁性の高い透光性樹脂６が電極５ａ，５ｂを被膜するために被着される。電極５ａ，５ｂには、電源７からの給電を受けるための平板状の給電用端子８ａ，８ｂがそれぞれ接続される。給電用端子８ａ，８ｂの端部には１〜１０箇所の貫通孔９ａ，９ｂがそれぞれ設けられている。
【００１９】
各部の寸法については、例えばガラスバルブ１は外径４ｍｍ、長さ３５０ｍｍする。給電用端子８ａ，８ｂの長さは１５ｍｍとし、貫通孔９ａ，９ｂの直径は０．５〜２ｍｍとする。２灯の外部電極型蛍光ランプを図８に示したように平行に配置したときのランプ間距離は２５ｍｍとする。電極５ａ，５ｂの材質には例えばアルミニウムを用いる。給電用端子８ａ，８ｂの材質には例えばＣｕ，Ａｌ，Ｆｅ，Ａｇ，Ａｕといった導電性金属を用いる。
【００２０】
図３は、２灯の外部電極型蛍光ランプについて、貫通孔が設けられた給電用端子の端部同士を半田付けするときの半田付部分の正面拡大図である。異なる外部電極型蛍光ランプの給電用端子８ａの端部同士を重ね合わせて半田付けした場合でも、それぞれの給電用端子８ａに設けられた貫通孔９ａによって半田付面積が広くとれるようになっている。もう一方の給電用端子８ｂについても同様である。
【００２１】
次に、給電用端子の端部の別の形状の例について説明する。
【００２２】
図４は、２灯の外部電極型蛍光ランプについて、鍵型に形成された給電用端子の端部同士を半田付けするときの半田付部分の正面拡大図である。同図（ａ）は組み立て前の状態、同図（ｂ）は組み立て後の状態である。給電用端子１８ａの端側部の形状を、他の外部電極型蛍光ランプの給電用端子の端部に重ね合わせたときに半田流入用の空間が生じるような鍵型に形成したことで、半田付面積を広くとれるようにしている。もう一方の給電用端子１８ｂについても同様である。
【００２３】
図５は、２灯の外部電極型蛍光ランプについて、Ｊ型に折り曲げられた給電用端子の端部同士を半田付けするときの半田付部分の正面拡大図である。同図（ａ）は組み立て前の状態、同図（ｂ）は組み立て後の状態である。給電用端子２８ａの先端を、他の外部電極型蛍光ランプの給電用端子の端部に重ね合わせたときに半田流入用の空間が生じるようにＪ型に折り曲げたことで、半田付面積を広くとれるようにしている。もう一方の給電用端子２８ｂについても同様である。
【００２４】
図６は、２灯の外部電極型蛍光ランプについて、凹型に形成された給電用端子の端部同士を半田付けするときの半田付部分の正面拡大図である。同図（ａ）は組み立て前の状態、同図（ｂ）は組み立て後の状態である。給電用端子３８ａの先端形状を、他の外部電極型蛍光ランプの給電用端子の端部に重ね合わせたときに半田流入用の空間が生じるような凹型に形成したことで、半田付面積を広くとれるようにしている。もう一方の給電用端子３８ｂについても同様である。
【００２５】
このように給電用端子の端部を図３〜図６に示した形状としたことで、半田の接続強度は、従来のものと比較して１．５〜２倍程度向上することが確認された。
【００２６】
したがって、本実施の形態によれば、給電用端子の端部に貫通孔を設けるようにしたことで、給電用端子の端部を他の外部電極型蛍光ランプの給電用端子の端部に半田付けするときの半田付面積を広くとれるので、給電用端子の端部同士の接続強度を向上させることができる。
【００２７】
また、本実施の形態によれば、給電用端子の端部の形状を、他の外部電極型蛍光ランプの給電用端子の端部に重ね合わせたときに半田流入用の空間が生じる形状としたことで、半田付面積を広くとれるので、給電用端子の端部同士の接続強度を向上させることができる。給電用端子の具体的な形状としては、給電用端子の端側部の形状を鍵型に形成し、あるいは給電用端子の先端をＪ型に折り曲げ、あるいは給電用端子の端部先端の形状を凹型に形成することで、給電用端子の端部同士の接続強度を向上させることができる。
【００２８】
［第２の実施の形態］
本実施の形態では、ガラスバルブの内周面に赤色・緑色・青色の蛍光体層が形成された蛍光ランプを適用した照明装置について説明する。この照明装置は、複写機やイメージスキャナ等の露光用光源やディスプレイ装置のバックライト用光源として使用されるものである。また、ここでいう蛍光ランプには、第１の実施の形態で開示された外部電極型蛍光ランプが含まれるものとする。
【００２９】
図７は、本実施の形態における照明装置の構成を示すブロック図である。同図の照明装置は、蛍光ランプ１０１と、蛍光ランプ１０１を点灯させるための点灯装置１０２と、蛍光ランプ１０１から照射され原稿１０３で反射した光を受光する電荷結合素子（ＣＣＤ）１０５と、ＣＣＤ１０５からの出力信号に基づいて点灯周波数を変調する周波数変調装置１０６と、を有する構成である。
【００３０】
同図は、一例として原稿１０３で反射した光がミラー１０４でさらに反射してからＣＣＤ１０５に入射する図を示してある。ＣＣＤ１０５は、受光した反射光の赤、緑、青（ＲＧＢ）の各色成分について、それぞれ電気信号に変換して出力する。周波数変調装置１０６は、ＣＣＤ１０５からの青色についての出力電圧が下がったときに、その下げ量に応じて点灯周波数を上げる。また、点灯周波数を変調する際に、その変調量に応じてランプ電力を変調する。
【００３１】
一般に、ＣＣＤの受光感度と信号雑音（Ｓ／Ｎ）比を最適化するためには、ＣＣＤからの赤、緑、青の各出力電圧が、それぞれ飽和しない範囲で最大であることが求められる。蛍光ランプの出力光量が低い場合には、ＣＣＤの露出を大きくすることによって、赤、緑、青の各出力電圧を確保する。
【００３２】
図８は、ＣＣＤの出力電圧の経時変化を色別に示すグラフである。縦軸はＣＣＤの初期出力電圧に対する相対出力電圧（％）であり、横軸は経過時間（Ｈｒ）である。赤色および緑色と比較して青色の出力電圧の低下が大きいことが分かる。これは、蛍光ランプを長時間点灯すると、蛍光体層における赤色・緑色の発光成分に比べて青色の発光成分の方が早く劣化するためである。長時間点灯することによって青色の発光成分が劣化した蛍光ランプでは、赤色・緑色の出力電圧と青色の出力電圧との間に乖離が生じる。この場合、ＣＣＤの露出を調整しても、赤色・緑色の出力電圧が先に飽和してしまうので、青色の出力電圧を飽和レベルまで大きくすることができない。このため、青色については他の色と比べてＳ／Ｎ比が劣化してしまうという問題がある。
【００３３】
本実施の形態では、赤色・緑色に対して低下しやすい青色の出力電圧だけを増加させ得る照明装置について説明する。本照明装置では、蛍光体層における赤色と緑色の発光成分は点灯周波数の変化に対する応答速度が遅く、青色の発光成分は応答速度が速いことに着目し、図１に示すようなフィードバック系の制御構成とした。本照明装置は、ＣＣＤ１０５からの青色の出力電圧が低下してきたときに、点灯周波数を上げることによって相対的に蛍光ランプ１０１からの青色の光出力だけを上げることによって、ＣＣＤ１０５からの青色の出力電圧を増加させる。
【００３４】
以下、本照明装置について実験データの一例を用いて説明する。
【００３５】
蛍光ランプ１０１は、外径８ｍｍ、肉厚０．４ｍｍのガラスバルブの内周面に蛍光体を塗布し、キセノンを主成分とする希ガスを封入圧１３．３ｋＰａで封入し、両端を封止した。ガラスバルブの外周面にはガラスバルブの全長とほぼ同程度の長さを有する１対の電極を対向して配設し、その外側にガラスバルブの全長とほぼ同程度の長さを有する透光性樹脂を電極被覆のために被着した。蛍光体の組成としては、赤色には（Ｙ，Ｇｄ）ＢＯ３：Ｅｕ、緑色にはＬａＰＯ４：Ｃｅ，Ｔｂ、青色にはＢａＭｇＡｌ１０Ｏ１７：Ｅｕを用いた。
【００３６】
図９は、このように構成した蛍光ランプ１０１の分光分布特性を示すグラフである。横軸は波長［ｎｍ］、縦軸は分光の最大発光強度を１００％としたときの相対光強度［％］である。同図より、各色について光量がピークとなる波長（ピーク波長）は、赤色６１２ｎｍ、緑色５４４ｎｍ、青色４５０ｎｍであった。
【００３７】
図１０は、点灯周波数を７０ｋＨｚとしたときの各ピーク波長における光量の時間変化を示すグラフである。同図（ａ）は青色、同図（ｂ）は緑色、同図（ｃ）は赤色についてのグラフである。緑色と赤色は点灯周波数に対する応答速度が遅いため経過時間に対する変化がほとんど見られないのに対し、青色は点灯周波数に対する応答速度が速いので点灯周波数に合わせた時間変化を示している。
【００３８】
図１１は、点灯周波数を１４０ｋＨｚとしたときの各ピーク波長における光量の時間変化を示すグラフである。図１０と比較すると、点灯周波数を上げた場合に、赤色と緑色については光量の変化がほとんど見られないのに対し、青色の光量の総和は増加している。
【００３９】
この特性を利用して、本照明装置では、周波数変調装置１０６によって、ＣＣＤ１０５からの青色についての出力電圧が一定値まで下がったときに点灯周波数を上げるようにする。
【００４０】
図１２は、点灯周波数を変調したときのＣＣＤ１０５の出力電圧の経時変化を色別に示すグラフである。青色の相対出力電圧が８０％まで下がったとき、すなわち点灯時間が４００Ｈｒの時点で、点灯周波数を７０ｋＨｚから１４０ｋＨｚに変調した。これによって、青色の出力電圧が赤色・緑色の出力電圧に近づくことが確認できた。
【００４１】
したがって、本実施の形態によれば、ＣＣＤ１０５からの青色の出力電圧が低下してきたときに、蛍光ランプ１０１の点灯周波数を上げるようにフィードバック制御をするようにしたことで、赤色・緑色に対して相対的に青色の出力電圧だけ増加するので、青色についてのＳ／Ｎ比を向上させることができる。
【００４２】
ここで、点灯周波数の変調をＣＣＤ１０５による読み取り毎に行うこととすれば、読み取り毎に青色についてのＳ／Ｎ比を向上させることができる。
【００４３】
なお、本実施の形態においては、蛍光ランプ１０１の点灯時間が２００Ｈｒを超える長時間の中で点灯周波数を２段階的に変調することとしたが、もっと短時間の中で点灯周波数を変調するようにしてもよい。さらには、青色の出力電圧に応じて連続的に点灯周波数を変調するようにしてもよい。。
【００４４】
図１３は、点灯時間を３００ｓｅｃ以下としたときのＣＣＤの相対出力電圧を示すグラフである。ここでは点灯周波数は７０ｋＨｚとした。このように短時間であっても、青色の出力電圧は赤色・緑色の出力電圧に対して低下している。
【００４５】
図１４は、点灯時間が３００ｓｅｃ以下の場合で、青色の出力電圧に応じて点灯周波数を連続的に変調した場合のＣＣＤの相対出力電圧を示すグラフである。同図により、赤色の出力電圧とほぼ一致する程度に青色の出力電圧を増大可能であることが確認された。
【００４６】
【発明の効果】
以上、説明したように、請求項１記載の本発明に係る外部電極型蛍光ランプによれば、給電用端子の端部に貫通孔を設けたことで、給電用端子の端部を他の外部電極型蛍光ランプの給電用端子の端部に半田付けするときの半田付面積を広くとれるので、給電用端子の端部同士の接続強度を向上させることができる。
【００４７】
また、請求項２記載の本発明に係る外部電極型蛍光ランプによれば、給電用端子の端部の形状を、他の外部電極型蛍光ランプの給電用端子の端部に重ね合わせたときに半田流入用の空間が生じる形状としたことで、半田付面積を広くとれるので、給電用端子の端部同士の接続強度を向上させることができる。
【００４８】
請求項３乃至５に記載の本発明に係る外部電極型蛍光ランプによれば、給電用端子の端側部の形状を鍵型に形成し、給電用端子の先端をＪ型に折り曲げ、あるいは給電用端子の端部先端の形状を凹型に形成することによって、他の外部電極型蛍光ランプの給電用端子の端部との半田付部分に半田流入用の空間が生じ、半田付面積を広くとれるので、給電用端子の端部同士の接続強度を向上させることができる。
【図面の簡単な説明】
【図１】第１の実施の形態における外部電極型蛍光ランプの構成を示す側面図である。
【図２】図１に示す外部電極型蛍光ランプのＡ−Ａ部の正面断面図である。
【図３】２灯の外部電極型蛍光ランプについて、貫通孔が設けられた給電用端子の端部同士を半田付けするときの半田付部分の正面拡大図である。
【図４】２灯の外部電極型蛍光ランプについて、鍵型に形成された給電用端子の端部同士を半田付けするときの半田付部分の正面拡大図である。
同図（ａ）は組み立て前、同図（ｂ）は組み立て後の状態を示す。
【図５】２灯の外部電極型蛍光ランプについて、Ｊ型に折り曲げられた給電用端子の端部同士を半田付けするときの半田付部分の正面拡大図である。
同図（ａ）は組み立て前、同図（ｂ）は組み立て後の状態を示している。
【図６】２灯の外部電極型蛍光ランプについて、凹型に形成された給電用端子の端部同士を半田付けするときの半田付部分の正面拡大図である。
同図（ａ）は組み立て前、同図（ｂ）は組み立て後の状態を示している。
【図７】第２の本実施の形態における照明装置の構成を示すブロック図である。
【図８】ＣＣＤの出力電圧の経時変化を色別に示すグラフである。
【図９】蛍光ランプの分光分布特性を示すグラフである。
【図１０】点灯周波数を７０ｋＨｚとしたときの各ピーク波長における光量の時間変化を示すグラフである。
【図１１】点灯周波数を１４０ｋＨｚとしたときの各ピーク波長における光量の時間変化を示すグラフである。
【図１２】点灯周波数を変調したときのＣＣＤの出力電圧の経時変化を色別に示すグラフである。
【図１３】点灯時間を３００ｓｅｃ以下としたときのＣＣＤの相対出力電圧を示すグラフである。
【図１４】点灯時間が３００ｓｅｃ以下の場合で、青色の出力電圧に応じて点灯周波数を連続的に変調した場合のＣＣＤの相対出力電圧を示すグラフである。
【図１５】外部電極型蛍光ランプを複写機やイメージスキャナ等の露光用光源として使用したときの一般的な構成の一例を示す正面断面図である。
【図１６】従来の２灯の外部電極型蛍光ランプの給電用端子の端部同士を半田付けした状態を示す正面図である。
【図１７】図１６に示す給電用端子の半田付け部分の拡大図である。
【符号の説明】
１…ガラスバルブ
２…希ガス
３…蛍光体層
４…開口部
５ａ，５ｂ…電極
６…透光性樹脂
７…電源
８ａ，８ｂ…給電用端子
９ａ，９ｂ…貫通孔
１８ａ，１８ｂ…給電用端子
１９…半田
２８ａ，２８ｂ…給電用端子
３８ａ，３８ｂ…給電用端子
７０ａ，７０ｂ…外部電極型蛍光ランプ
７５ａ，７５ｂ…電極
７８ａ，７８ｂ…給電用端子
８０…紙面ガラス
８１…ＣＣＤ
８２…原稿
９０ａ，９０ｂ…半田
１０１…蛍光ランプ
１０２…点灯装置
１０３…原稿
１０４…ミラー
１０５…ＣＣＤ
１０６…周波数変調装置
【図１】
2004134167.tif 000003
【図２】
2004134167.tif 000004
【図３】
2004134167.tif 000005
【図４】
2004134167.tif 000006
【図５】
2004134167.tif 000007
【図６】
2004134167.tif 000008
【図７】
2004134167.tif 000009
【図８】
2004134167.tif 000010
【図９】
2004134167.tif 000011
【図１０】
2004134167.tif 000012
【図１１】
2004134167.tif 000013
【図１２】
2004134167.tif 000014
【図１３】
2004134167.tif 000015
【図１４】
2004134167.tif 000016
【図１５】
2004134167.tif 000017
【図１６】
2004134167.tif 000018
【図１７】
2004134167.tif 000019